(57)【要約】      （修正有）【課題】従来の充電器では電池を充電している場合、空気の流れが一方向のみであり、放熱効果が小さかったことを改善することを目的とする。【解決手段】充電回路を内蔵した本体に充電電池を収納する凹部５を設けるとともに、この凹部を覆うカバーを開閉可能とした充電器において、上記凹部の少なくとも両端部に本体の底面に貫通する貫通穴６を設けて、充電器内部の空気の流出入を効率的に実施できるようにした。また、さらに、ケースの側面およびカバー３にも切り欠き部８を追加して、さらに空気の流れの効果を大きくして、放熱効果をあげた。【選択図】  図１
2007257980.tif 000002
【特許請求の範囲】
【請求項１】
充電回路を内蔵した本体に充電電池を収納する凹部を設けるとともに、この凹部を覆うカバーを開閉可能とした充電器において、上記凹部の両端部に本体の底面に貫通する貫通穴を設けたことを特徴とする充電器。
【請求項２】
凹部の中央部にも貫通穴を設けたことを特徴とする請求項１記載の充電器。
【請求項３】
充電電池を充電器に搭載した場合の充電電池間にあたる位置に貫通穴を設けたことを特徴とする請求項１記載の充電器。
【請求項４】
ケース側面側に切り欠き部を設けたことを特徴とする請求項１記載の充電器。
【請求項５】
充電器のカバー部に貫通する貫通穴を設けたことを特徴とする請求項１記載の充電器。
【請求項６】
カバーの電池間にあたる位置に貫通穴を設けたことを特徴とする請求項１記載の充電器。
【発明の詳細な説明】
【技術分野】
【０００１】
本発明は、二次電池を充電する充電器の機構に関するものである。
【背景技術】
【０００２】
近年、ポータブルオーディオやデジタルスチルカメラといった携帯可能な電子機器の市場が急速に伸びている。そんな中、携帯型電子機器に電源を供給するための充電型電池及び充電器は重要な役割を担っている。
【０００３】
しかしながら、充電型電池用の充電器は二次電池を充電した場合、電池自身および充電回路からの発熱により、安全上のために充電器のカバーがあったりすると、充電器内部に熱がたまりやすく、電池自身の寿命および性能の劣化、また充電可能な温度環境の確保に課題があった。
【０００４】
上述の課題を解決するために、従来の方法では、電池装着時に充電器の電池装着面と二次電池とを隔離するために段差を設け、また、周囲の側壁に切り欠きを設置し、充電時に生じる充電器と二次電池との間の熱を側壁の切り欠きから放熱させるようにしていた（例えば、特許文献１参照）。
【特許文献１】特開平７−１４２０９４号公報
【発明の開示】
【発明が解決しようとする課題】
【０００５】
しかしながら、上記従来の構成では、放熱路は側壁に切り欠き部として設置しているのみであるため、電池を充電している間、発熱面に対して、放熱用の空気の流出入方向が部分的な横方向となるために放熱効果は少なかった。
【０００６】
本発明は、この課題を解決するものであり、二次電池の充電の発熱を容易に放熱できるようにした充電器を提供することを目的とする。
【課題を解決するための手段】
【０００７】
上記目的を達成するために本発明の充電器は、充電回路を内蔵した本体に充電電池を収納する凹部を設けるとともに、この凹部を覆うカバーを開閉可能とした充電器において、上記凹部の少なくとも両端部に本体の底面に貫通する貫通穴を設けた構成としたものである。
【発明の効果】
【０００８】
本発明によると、充電器の底部から貫通穴を作製し、充電器内部の空気の流出入を効率的に実施できるようにした。また、さらに、ケースの側面およびカバーにも切り欠き部を追加して、さらに空気の流れの効果を大きくして、放熱効果をあげることができた。
【発明を実施するための最良の形態】
【０００９】
以下本発明を実施するための最良の形態について、図面を参照しながら説明する。
【００１０】
図１は実施例の充電器を上面側から見た斜視図である。図１において１は充電器を示す。充電器１の外装は上ケース２、カバー３、および、下ケース４で構成されている。上ケース２には凹部である電池収納部５が形成されている。電池収納部５には上ケース２の穴部から充電制御用の基板に取り付けられた電池接続用のマイナス端子１１及びプラス端子１２が露出しており、電池収納部５に充電電池を入れると接続が可能となる。カバー３は
空気流出用の貫通穴７及び回転軸９を有し、回転軸９を軸に開閉が可能である。図１はカバー３が開いた状態を示している。
【００１１】
図２は実施例の充電器を底面側から見た斜視図である。図１、図２において６は貫通穴を示し、貫通穴６は電池収納部５の両端に有し、下ケース４の底面に貫通している。貫通穴６が下ケース４の底面に貫通することにより、電池挿入部５と底面側との空気の流出入が可能になると共に電池挿入部５に水などの異物が入った場合に底面側へ流出が可能となる。
【００１２】
図３は実施例の充電器に充電電池１３を装着し、カバー３を閉めた状態の斜視図である。カバー３を閉めることにより、電池収納部５を覆うことが可能となる。また、カバー３には充電電池１３ａと１３ｂ，１３ｂと１３ｃ，１３ｃと１３ｄ間の谷の上に位置する部分に貫通穴７を設けている。充電電池間の谷の上に貫通穴７を設けることにより充電電池１３とカバー３との間に空気の流出入経路を設けることが可能となる。また下ケース４には電池収納部５の側面に、切り欠き部８を有している。切り欠き部８を有することにより切り欠き部８の横に収納される充電電池１３ａ及び１３ｄの取り外しが容易となると共に、カバー３と切り欠き部８との間に隙間が生じる為、空気の流出が容易となる。
【００１３】
図４は実施例の充電器における充電中の空気の流出入を模式的に示す断面図である。充電器１の電池収納部５に充電電池１３を収納してカバー３を閉め、充電を開始したときの空気の流れを図５に１点鎖線で示している。充電により温度上昇した充電電池１３に対し、充電器１の底面から、貫通穴６を通り空気が流入する。流入した空気は充電電池１３の表面を通りながら、充電電池１３ａ及び１３ｄの側面側にある切り欠き部８と電池カバー３との隙間及びカバー３の貫通穴７から抜ける為、充電電池１３の表面を冷却する効果がある。
【００１４】
図５は実施例の充電器に上面から水が掛かった時の水の流出入を模式的に示す断面図である。充電器１の電池収納部５に充電電池１３を収納してカバー３を閉めた状態で上面から水が掛かった場合の水の流れを図６に２点鎖線で示している。充電器１に上面から水が掛かった場合、カバー３の貫通穴７から電池収納部５へ入った水は両端にある下ケース４の底面に貫通する貫通穴６から直接排水される為、充電器内部に浸水する量が低減される効果がある。
【００１５】
上述の効果を確認するために、周囲温度２５℃の環境下で容量約２１００ｍＡｈ程度の単３形ニッケル水素電池を４本同時に平均電流７５０ｍＡで充電する充電器を作成した。貫通穴６、貫通穴７及び切り欠き部８を有した場合と、貫通穴６、貫通穴７及び切り欠き部８を有しない場合とで４本の充電電池１３ａ、１３ｂ、１３ｃ、１３ｄの充電中における表面温度を測定した。
【００１６】
【表１】
2007257980.tif 000003
【００１７】
表１に示すように、実施形態に基づく、貫通穴６、貫通穴７、切り欠き部８を設けることにより、貫通穴６、貫通穴７、切り欠き部８を設けない場合に比べて充電電池１３の表面温度が低く、放熱効果が高いことがわかる。
【００１８】
表１では充電電池の例えば単３形ニッケル水素電池４本入りで説明したが、充電器に用いられる電池の本数及び電池の種類に関係なく同様の効果が得られる。
【００１９】
また、熱の放熱効果の実験として、ケース材料をＰＰＥとしたが、ＡＢＳなど他の樹脂材料系及びアルミ製などの金属系であっても同様の効果が得られる。
【図面の簡単な説明】
【００２０】
【図１】本発明の一実施形態に係る充電器の電池が装着されていない状態の斜視図
【図２】本発明の一実施形態に係る充電器の底面から見た斜視図
【図３】本発明の一実施形態に係る充電器の電池が装着された状態の斜視図
【図４】本発明の一実施形態に係る充電器の充電中における空気流出入状態の模式図
【図５】本発明の一実施形態に係る充電器の水が掛かった時の水流出入状態の模式図
【符号の説明】
【００２１】
１      充電器
２      上ケース
３      カバー
４      下ケース
５      電池収納部
６      貫通穴
７      貫通穴
８      切り欠き部
９      回転軸
１０    基板
１１    マイナス端子
１２    プラス端子
１３    充電電池
１３ａ  充電電池１
１３ｂ  充電電池２
１３ｃ  充電電池３
１３ｄ  充電電池４
【図１】
2007257980.tif 000004
【図２】
2007257980.tif 000005
【図３】
2007257980.tif 000006
【図４】
2007257980.tif 000007
【図５】
2007257980.tif 000008